(57)【要約】【課題】  測定したデータを臨床現場等で利用し易い形態に加工して表示することができる筋力測定装置を提供する。【解決手段】  筋力測定装置に、押圧力または引っ張り力を検出するためのセンサ部（１０）と、前記センサ部に電気的に接続され該センサ部からの検出信号に応じて筋力の測定値を演算する演算回路（４０）と、前記演算回路により演算された測定値を表示する表示手段（３１）とを設け、前記演算回路は、前記表示手段に表示するデータを生成するデータ処理回路（４１）およびデータを記憶するメモリ（４２，４３）を備え、前記メモリには身体の所定の部位の筋力の統計的データもしくは標準値を格納するようにした。【選択図】図１
2007267767.tif 000002
【特許請求の範囲】
【請求項１】
押圧力または引っ張り力を検出するためのセンサ部と、  前記センサ部に電気的に接続され該センサ部からの検出信号に応じて筋力の測定値を演算する演算回路と、  前記演算回路により演算された測定値を表示する表示部と、を備えた筋力測定装置であって、  前記演算回路は、前記表示部に表示するデータを生成するデータ処理回路およびデータを記憶するメモリを備え、前記メモリには身体の所定の部位の筋力の統計的データもしくは標準値が格納されていることを特徴とする筋力測定装置。
【請求項２】
前記身体の所定の部位の筋力には膝伸展筋力が含まれていることを特徴とする請求項１に記載の筋力測定装置。
【請求項３】
前記データ処理回路は前記センサ部からの検出信号に基づいて被検者の筋力の測定値を算出し、算出された筋力測定値と前記統計的データもしくは標準値とを比較した判定結果を前記表示部に表示させる機能を有することを特徴とする請求項１または２に記載の筋力測定装置。
【請求項４】
前記筋力測定値と判定結果を、前記メモリに格納または外部へ出力可能に構成されていることを特徴とする請求項３に記載の筋力測定装置。
【請求項５】
前記メモリに格納されている前記筋力測定値と判定結果を複数日に亘る日推移グラフあるいは日推移表として表示する機能を有することを特徴とする請求項４に記載の筋力測定装置。
【請求項６】
前記データ処理回路は、前記センサ部からの信号を測定値以外の情報入力信号として取り込むことが可能に構成されていることを特徴とする請求項１ないし５のいずれかに記載の筋力測定装置。
【請求項７】
前記測定値以外の情報は被検者の体重情報であり、前記データ処理回路は前記センサ部からの検出信号に基づいて被検者の筋力の測定値を算出し、算出された筋力測定値と前記センサ部から入力された前記被検者の体重情報とから筋力測定値／体重の値を算出し、該筋力測定値／体重の値を前記表示部に表示させる機能を有することを特徴とする請求項６に記載の筋力測定装置。
【請求項８】
前記データ処理回路は、筋力／体重比（ｋｇ／ｋｇ）を指標として統計的データを表わしたグラフまたは表と、該グラフまたは表における前記筋力測定値／体重の値の位置を示す視覚情報とを、前記表示部に表示させる機能を有することを特徴とする請求項７に記載の筋力測定装置。 
【発明の詳細な説明】
【技術分野】
【０００１】
本発明は、筋力測定装置さらには測定したデータを臨床現場で利用し易い形態に加工して表示することができる筋力測定装置に関する。
【背景技術】
【０００２】
従来、長期療養中の被検者の筋力を測定しリハビリを促進するために徒手筋力検査法（ＭＭＴ；manual muscle test）による筋力測定が利用されている。この徒手筋力検査法は、被検者の筋力を６段階で評価するもので、身体のほとんどの関節運動で検査可能であり、コストもかからず、筋力強化の種目設定、障害病巣の診断に有効であり、現在もなお広く利用されている。しかし、この評価は理学療法士が被検者の筋力を自らの体感によって判断する手法であるため、高度の熟練が必要であり、またその評価は非定量的であって客観性に欠けるという欠点がある。  そこで、臨床現場において、被検者の筋力を定量的かつ客観的に評価しやすい手法に関心が向けられ、ハンドヘルドダイナモメーター（ＨＤ；hand-held dynamometer、以下、単に「ＨＤ」と略す。）が注目されるようになってきた。ＨＤは、比較的安価であり、絶対尺度でのデータが得られる可能性を有する装置である。  
【０００３】
従来提供されているＨＤは、被検者の測定部位が直接接触する部分であるアタッチメント２０３と、圧力センサを内蔵した把持部２０１と、それらの間に介在された支柱２０２とからなる構造を有していた。  かかるＨＤは、構造上アタッチメント２０３と把持部２０１との間に支柱２０２があるため、被検者がアタッチメント２０３へ力を入れる入力方向によってはそれと釣り合う検者の力は被検者の力の分力となってしまう。つまり、従来のＨＤは、被検者の測定部位と検者の持つ把持部２０１との押し合う等しい力が同軸上にないと正しい測定値が得られないという課題があった。  そこで、本発明者らは、複数の圧力センサを平面状に並べて配置することで、被検者の力が装置に対して斜めに加わったり偏って作用したりしても、正確な測定値が得られる平形の筋力測定装置に関する発明をなし、先に出願した（特許文献１）。    
【特許文献１】特開２００１−０７０２８８号公報
【発明の開示】
【発明が解決しようとする課題】
【０００４】
上記先願発明の筋力測定装置においては、測定によって得られた生体情報すなわち生データをそのまま表示したりプリンタにより出力するものであった。このような測定値は、定量的かつ客観的であるため信頼性の高い情報ではあるが、その情報を応用して例えばどのようなリハビリを被検者に適用するか判断しようとした場合、知識や経験の豊富な理学療法士等にとっては有効な判断材料となるが、知識や経験の乏しい者にとってはそれを材料にして適切な判断をすることが困難であるという課題があることが明らかとなった。  本発明は上記のような課題に着目してなされたもので、その目的とするところは、測定したデータを臨床現場等で利用し易い形態に加工して表示することができる筋力測定装置を提供することにある。  本発明の他の目的は、知識や経験の乏しい者でも測定結果に基づいてリハビリの内容の決定などの判断を適切に行なうことができる筋力測定装置を提供することにある。
【課題を解決するための手段】
【０００５】
上記課題を解決するため、本発明に係る筋力測定装置は、押圧力または引っ張り力を検出するためのセンサ部と、前記センサ部に電気的に接続され該センサ部からの検出信号に応じて筋力の測定値を演算する演算回路と、前記演算回路により演算された測定値を表示する表示部とを設け、前記演算回路は、前記表示部に表示するデータを生成するデータ処理回路およびデータを記憶するメモリを備え、前記メモリには身体の所定の部位の筋力の統計的データもしくは標準値を格納するようにしたものである。  
【０００６】
この発明によれば、筋力測定装置単独で測定値と統計的データもしくは標準値とを比較することが可能になる。ここで、前記身体の所定の部位の筋力には膝伸展筋力が含まれるようにするとよい。膝伸展筋力は人間が日常生活をする上で最も重要な筋力の１つであるためである。  
【０００７】
また、望ましくは、前記データ処理回路は前記センサ部からの検出信号に基づいて被検者の筋力の測定値を算出し、算出された筋力測定値と前記統計的データもしくは標準値とを比較した判定結果を前記表示部に表示させる機能を有するようにする。これにより、測定値と統計的データもしくは標準値とを比較したデータを表示することができ、被検者の筋力を直観的かつ相対的に把握することが可能になる。  
【０００８】
さらに、望ましくは、前記筋力測定値と判定結果を、前記メモリに格納または外部へ出力可能に構成する。これにより、長期間にわたって測定した結果を保存することができる。また、前記メモリに格納されている前記筋力測定値と判定結果を複数日に亘る日推移グラフあるいは日推移表として表示する機能を有するようにするとよい。これにより、日々の筋力の変化を感覚的に認識することができる。ここで、日推移グラフには、１日おきはもちろん２日おきあるいは１週間おきのようして得られた測定値と判定結果を表わすものを含まれる。  
【０００９】
さらに、前記データ処理回路は、前記センサ部からの信号を測定値以外の情報入力信号として取り込むことが可能に構成する。これにより、体重などを入力するためのテンキーが不要となり、装置の小型化、低コスト化が可能となる。  
【００１０】
また、前記測定値以外の情報は被検者の体重情報であり、前記データ処理回路には、前記センサ部からの検出信号に基づいて被検者の筋力の測定値を算出し、算出された筋力測定値と前記センサ部から入力された前記被検者の体重情報とから筋力測定値／体重比を算出し、該筋力測定値／体重比を前記表示部に表示させる機能を設ける。これにより、相対的な評価が得やすくなる。  
【００１１】
さらに、望ましくは、前記データ処理回路は、筋力／体重比（ｋｇ／ｋｇ）を指標として統計的データを表わしたグラフまたは表と、該グラフまたは表における前記筋力測定値／体重の値の位置を示す視覚情報を前記表示部に表示させる機能を有するようにする。これにより、被検者の相対的な身体能力を直感的に把握することが容易となる。
【発明の効果】
【００１２】
本発明に従うと、測定したデータを臨床現場で利用し易い形態に加工して表示することができる筋力測定装置を実現することができる。また、知識や経験の乏しい者でも測定結果に基づいてリハビリの内容の決定などの判断を適切に行なうことができる筋力測定装置を実現することができる。
【発明を実施するための最良の形態】
【００１３】
以下、図面を参照しながら本発明に係る筋力測定装置の実施の形態を詳細に説明する。  図１には、本発明を適用して有効な筋力測定装置の一実施形態が示されている。この実施形態の筋力測定装置は、センサ部１０と、該センサ部１０に結合されループを形成可能なベルト２０と、ケーブル３５を介してセンサ部１０に電気的に接続され測定結果を表示するための表示装置３０とにより、等尺性筋力計として構成されている。ベルト２０は、その両端部がそれぞれセンサ部１０に結合され、途中にはベルトをループ状態にしたり両端が開放した紐状態にしたりするための着脱装置２１や長さ調整部２２が設けられている。  
【００１４】
表示装置３０には、表示器３１と該表示器を測定者の腕などに装着できるようにするための伸縮性を有するベルト３２や表示切替え用のスイッチボタン３３等が設けられている。また、図示しないが、表示器３１の内部には前記センサ部１０からの検出信号に応じて筋力の換算値を算出したりデータを加工したりする演算回路が設けられている。この回路は、本発明の特徴をなすものであるので、後に詳しく説明する。  
【００１５】
センサ部１０は、図３に拡大して示すように、所定の間隔をおいて並行に設けられた一対の矩形状の平板１１ａ，１１ｂと、該平板１１ａ，１１ｂ間の４隅に配置された圧力検出素子１２ａ，１２ｂ，１２ｃ，１２ｄと、平板１１ｂの側からこれを覆うように装着されるウレタンなどからなるパッド１７とを備え、一方の平板１１ａがマジックファスナー（登録商標）のような面ファスナー１８によってベースプレート１３に固定可能にされている。  
【００１６】
上記平板１１ａ，１１ｂと圧力検出素子１２ａ，１２ｂ，１２ｃ，１２ｄとによって圧力センサ１２が構成され、この圧力センサ１２は面ファスナーにより着脱可能にされている。また、図示しないが、圧力センサ１２内には圧力検出素子１２ａ，１２ｂ，１２ｃ，１２ｄにバイアスを与えたり信号を増幅したりする回路と、検出した信号を表示器３１へ送るケーブル３５を接続するための端
子またはコネクタが設けられている。パッド１７は、後述のように、被検者の肌に接触する場合には痛みを和らげる緩衝材として作用し、椅子の脚などの器具に接触する場合には摩擦力により滑りを防止する部材として作用する。  
【００１７】
図３において、（Ａ）はセンサ部１０の正面図、（Ｂ）はセンサ部１０をその中心にて縦方向に断面して示した断面側面図である。図２に示すように、圧力センサ１０を保持するベースプレート１３の対向する辺（図では上辺と下辺）には、ベルト２０の端部が挿通される細長い孔１４ａ，１４ｂを有するベルト捲回部１５ａ，１５ｂが設けられている。  
【００１８】
パッド１７は、図２に拡大して示すように、外側表面が凹状に湾曲されているとともに、内側には圧力センサ１２に係合可能な矩形状の係合凹部１７ａが、またこの係合凹部１７ａの底面から外側の凹面に向かって複数の円筒状の穴１７ａが形成されており、この穴の数や径を、パッドを構成するウレタンなどの材料の弾性に応じて変更することによって最適な弾力性を有するように設定できるようになっている。  
【００１９】
次に、上記のような構成を有する実施形態の筋力測定装置の使用方法を説明する。  
【００２０】
図４は、本実施形態の筋力測定装置を使用し一例として被検者の等尺性膝伸展筋力を測定する場合の使用状態が示されている。図４のように、椅子に座っている被検者の足６０のすねと椅子の脚７０との間にベルト２０を回して着脱装置２１を係合させるとともに、長さ調整部２２でベルトの長さを調整し、センサ部１０を椅子の脚７０の背面側に位置させパッド１７を脚７０に接触させることで測定可能な状態となる。この状態で、被検者が足を前の方へ押し出すように力を入れると、その力がベルト２０を介してセンサ部１０に伝わり、内部の圧電素子を押圧することで膝伸展筋力が測定され、表示装置３０に表示される。  
【００２１】
この実施形態の筋力測定装置においては、被検者の足にはベルトのみ接触しセンサやそれに装着されたパッドが接触することがないため、痛みを与えることなく筋力の測定が可能となる。    
【００２２】
図５には、センサ部１０の構成が図１のものと異なる筋力測定装置の例が示されている。図１の筋力測定装置においては圧力センサ１２を有するセンサ部１０が使用されているが、図５の筋力測定装置では、圧力センサの代わりに、歪みセンサ１６をベースプレート１３に設けたセンサ部１０を用いるようにしている。  
【００２３】
具体的には、ベースプレート１３の表面に、ベースプレート１３に引っ張り力が作用してプレートが変形したときにその歪み量から引っ張り力を検出するための歪みセンサ１６が貼着されている。１６ａ，１６ｂは歪みセンサ１６のリード端子であり、センサ内部にはリード端子１６ａ，１６ｂに両端が接続され蛇行状に形成された配線が形成され、ベースプレート１３の変形に伴ってこの配線の長さが変化することによって変化する抵抗値の変化を電流値の変化として取り出すことで歪み量を検出し、引っ張り力に換算することで被検者の筋力を測定することができるようになっている。  
【００２４】
かかる歪みセンサ１６は公知であり、本発明においては公知の歪みセンサを用いることができるので、詳しい構造の図示は省略する。歪みセンサ１６を有する筋力測定装置は、図５（Ａ）のように、着脱装置２１でベルト２０の両端を結合してループ状に接続し、センサ部１０や着脱装置２１のない部位に被検者の体の一部と支柱等を接触させて矢印の方向へ力を作用させてセンサ部１０に引っ張り力が働くようにすることによって、図１の実施形態で説明したベルト２０と同じ構成のベルトを使用し、同じような方法で筋力を測定することができる。  
【００２５】
また、ベルト２０をループ状にする代わりに、図５（Ｂ）のように、ベルトの両端にそれぞれ面ファスナーを用いてループ状に結合可能なクランプベルト２３ａ，２３ｂを設け、一方のクランプベルト２３ａを被検者の体の一部に、また他方のクランプベルト２３ｂを椅子やベッドの脚に巻き付けることによって、センサ部１０に設けられている歪みセンサを利用して筋力の測定を行なえるように構成しても良い。  
【００２６】
図５（Ａ）または（Ｂ）のいずれの場合も、図１の実施形態と同様に、被検者の体にはベルトのみ接触しセンサやそれに装着されたパッドが接触することがないため、痛みを与えることなく筋力の測定が可能となる。図５（Ｂ）のベルトは、一方のクランプベルト２３ａの片側と他方のクランプベルト２３ｂの片側とを結合させることで、図５（Ａ）と同様にループ状にして使用することも可能である。なお、第１および第２の実施形態においては、圧力センサ１２や歪みセンサ１６を有するセンサ部１０と表示装置３０とを別個に設けているが、センサ部１０に表示装置３０を一体に設けることも可能である。  
【００２７】
図６には、表示装置３０に内蔵される前記演算回路の構成例が示されている。この実施例の演算回路４０は、システム全体を制御したりデータ加工のための演算等を行なったりするデータ処理回路としてのＣＰＵ（Central Processing Unit）４１と、該ＣＰＵ４１の動作プログラムや固定データを記憶する読出し専用のＲＯＭ４２、測定データの一時記憶やＣＰＵ４１の作業領域を提供する書き込み可能なＲＡＭ４３、前記筋力測定装置の圧力センサ１２からの検出信号を取り込むためのインタフェース４４、プリンタやパソコンなどの外部装置との間でデータの送受信を行なうデータ送受信部４５などを備える。  
【００２８】
外部装置には、ハードディスクのような記憶装置が含まれる。入力部３３は、前記スイッチボタンの他にテンキー、マウス等のポインティングデバイスであってもよい。表示部３１は、本実施形態では液晶表示パネルにより構成されているが、有機ＥＬパネルなど他の表示デバイスであってもよい。  
【００２９】
ＣＰＵ４１は、ＲＯＭ４２内に格納されているシステムプログラム及び当該システムに対応する各種アプリケーションプログラムの中から指定されたアプリケーションプログラムをＲＡＭ４３内の図示しないプログラム格納領域に展開し、入力部３３から入力される各種指示あるいはデータをＲＡＭ４３内に一時的に格納し、この入力指示及び入力データに応じてＲＯＭ１７に格納されたアプリケーションプログラムに従って各種処理を実行し、その処理結果をＲＡＭ４３内に格納するとともに、表示部３１に表示する。  また、ＣＰＵ４１は、キー入力等による入力部３３からの入力信号に従って、圧力センサ１２による筋力測定を実行させ、その測定結果をインタフェース４４を介してＣＰＵ４１に取り込む。そして、取り込んだ測定データに基づいてＲＡＭ４３内のワーク領域に展開し、さらにデータ加工を行なって表示部３１に表示させたり、データ送受信部４５を介して外部装置へ出力したりする。データ送受信部４５は有線式でもよいし、ブルートゥースのような無線方式によりデータの送受信を行なうものでもよい。  
【００３０】
さらに、本実施形態の筋力測定装置においては、ＲＯＭ４２内に、臨床現場での測定結果に基づく身体の各部の筋力値の統計的データが格納されている。また、統計的データの代わりもしくは統計的データとともに日本人の健常者の年齢別あるいは体格別の膝伸展筋力値や身体の各部の筋力値の標準値（平均値）を格納するようにしてもよい。そして、演算回路４０には、圧力センサ１２による筋力測定値と上記統計的データや標準値とを比較して所定の動作の可能性や標準値からの偏差を求めたり、結果を上記表示部３１へ表示させることができる形態にデータを加工したりする機能が設けられている。  
【００３１】
このような機能は、アプリケーションプログラムとそれを実行するＣＰＵ４１とによって実現されているが、専用の回路（ハードウェア）を設けて実現することもできる。また、本実施形態の筋力測定装置には、得られたデータはフラッシュメモリのようなＲＯＭあるいはＲＡＭ内に格納しておいて、複数日に亘って測定されたデータから日推移グラフあるいは日推移表として表示できる機能も設けられている。さらに、測定値と統計的データに基づいて例えば「立ち上がり可能」とか「歩行可能」とか「階段昇降可能」とかのような身体能力の程度を表わすコメントや最適なリハビリの内容を示すコメントなどを表示部３１へ出力する機能も備えている。  
【００３２】
さらに、本実施形態の筋力測定装置においては、圧力センサ１２を入力装置として使用できるようにする機能を備えている。上述したようなグラフや表、コメントを表示させる場合、測定値を正規化するため被検者の体重や身長などの身体情報を入力する必要がある。図１に示されている表示装置３０のように外部から指令等を入力するためのスイッチボタン３３の数が少ない装置にあっては、テンキーが設けられないため体重や身長などの身体情報を入力するのが困難である。  
【００３３】
そこで、本実施形態の筋力測定装置においては、圧力センサ１２を入力装置として使用できるように構成されている。具体的には、表示装置３０の表面のスイッチボタン３３として例えばモード切替えボタンと確定ボタンを設け、モード切替えボタンが押されると通常の測定結果表示モードが圧力センサ１２からの入力が可能なモードに変更され、このモードで表示部３１を見ながら圧力センサに適度な圧力を加えたり、タッピング操作を行なったりすると表示部に数字が現われ、所望の数字が表示された時点で確定ボタンを押すとそのときの数字が入力値として確定されるように構成されている。かかる機能を設けることによって、テンキーなどを設けずに被検者の年齢、身長、体重等を入力することが可能となり、表示装置３０の表面のスイッチボタン３３の数を減らして表示装置３０の小型化、低コスト化が可能となる。  
【００３４】
次に、本実施形態の筋力測定装置内のメモリに格納される具体的なデータの例と、該データと測定結果とから表示部３１に表示するグラフの例を説明する。次の図７にはメモリに格納されるデータとして統計的データを選択した場合の例が示されている。図７の表において、ＢＭＩ（body mass index）は体重（ｋｇ）÷身長（ｍ）2で表わされる値で、一般に肥満度を示す指標として使用されている。  
【００３５】
図７に示すように、ここでは、図４のようにして測定された膝伸展筋力値を被検者の体重で割った値を０．１５（ｋｇ／ｋｇ）以下、０．１６〜０．２０、０．２１〜０．２５、……０．５６〜０．６０、０．６１以上のように、０．０５おきに１０段階に区分して各区分ごとに測定を行なった被検者の人数である「症例数」、そのうち男性の数を表わすデータである「男性数」、統計をとった被検者の平均の年齢とばらつきを示す「年齢」、平均身長とばらつきを示す「身長」、平均体重とばらつきを示す「体重」、「ＢＭＩ値」、立ち上がりが可能であった被検者数を表わす「立ち上がり可能数」およびその比率（％）、歩行が可能であった被検者数を表わす「歩行可能数」およびその比率（％）、階段を上がることが可能であった被検者数を表わす「階段可能数」およびその比率（％）、階段の昇降が可能であった被検者数を表わす「昇降可能数」およびその比率（％）の各項目データが統計値としてテーブル形式でメモリに格納されている。  
【００３６】
図６に示されている演算回路４０内のＣＰＵ４１は、膝伸展筋力の測定値が得られ、被検者の年齢、身長、体重等が入力されると、筋力測定値を体重で割った値を算出して、メモリ内の統計的データに基づいて被検者が図７の１０段階のどの区分に属するか判別し、さらに症例数から「立ち上がり」や「歩行」、「階段」、「昇降」がどの位の確率で可能であるかを判定することができる。そして、その判定結果および筋力測定値は、ＲＯＭ４２またはＲＡＭ４３に記憶される。  
【００３７】
図８は、図７の表のデータを分かりやすくするため、グラフとして表わしたものである。図８のうち（Ａ）は、膝伸展筋力値を体重で割った値（測定値／体重比）を横軸に、また歩行可能割合を縦軸にとって表わしたものである。また、図８（Ｂ）は膝伸展筋力値を体重で割った値を横
軸に、また階段昇降可能割合を縦軸にとって表わしたものである。  
【００３８】
これより、例えばある被検者の測定値や体重等から当該被検者が０．３６〜０．４０の段階にあったとすると、図８（Ａ）から歩行可能性は９０％以上であるが、上記図８（Ｂ）より階段昇降可能性は４０〜５０％であることが分かる。ＣＰＵ４１は上記のようにして判定した結果を数値として表示部３１へ表示させることができる。判定結果を数値として表示する代わりに、図８（Ａ）や図８（Ｂ）のグラフと被検者がどこに位置するのか表わす視覚情報（図では矢印）を表示させるようにしてもよい。  
【００３９】
さらに、グラフのほかにコメントを付記して表示することも可能である。立ち上がり可能性や階段動作の可能性についても同様なグラフによる表示が可能である。視覚情報として矢印を表示する代わりに×印などのマークを表示してもよいし、区分を示す数値「０．３６〜０．４０」を他の数値と異なる色で表示あるいは点滅表示するなどしてもよい。  
【００４０】
以上本発明者によってなされた発明を実施例に基づき具体的に説明したが、本発明は上記実施形態に限定されるものではなく、種々変更可能であることはいうまでもない。例えば、前記実施形態では、膝伸展筋力について説明したが、実施形態の筋力測定装置は、身体の他の部位の筋力についても対応するデータを予め内部のメモリに格納しておくことで、同様な判定と表示を行なうように構成することが可能である。  
【００４１】
また、前記実施形態では、予め内部のメモリに格納しておくデータの項目として、「症例数」、「男性数」、「年齢」、「身長」、「体重」、「ＢＭＩ値」「立ち上がり可能数」、「歩行可能数」、「階段可能数」、「昇降可能数」を挙げたが、これら以外の項目のデータを格納して置くようにしてもよいことはいうまでもない。  
【００４２】
さらに、前記実施形態では、膝伸展筋力値を体重で割った値を複数段階に区分し、各区分ごとに「症例数」等をテーブル形式でメモリに格納しているが、日本人の健常者の年齢別平均膝伸展筋力、その他身体の各部の筋力の平均値を格納しておいて、被検者の筋力測定値および平均値からの偏差等を表示できるように構成しても良い。このように構成した場合には、例えばスポーツクラブなどで筋力アップのトレーニングをしている者が、自己の筋力が標準値からどの位の偏差を有しているのか確認するために使用することができる。また、日推移グラフを表示することにより、トレーニングの効果を視覚的に認識させることができるようになる。  
【００４３】
また、前記実施形態では、表示装置３０内に設けられている演算回路４０により測定データを加工してグラフ等の形式で表示部に表示させる例を説明したが、表示装置３０内のデータ送受信部４５を介して測定データを外部のパソコン等に出力して外部装置で測定データを加工してグラフ等の形式でＣＲＴなどの表示装置に表示させたり、測定データまたは加工したデータをプリンタに直接出力してプリントアウトさせることも可能である。
【図面の簡単な説明】
【００４４】
【図１】本発明を適用して有効な筋力測定装置の一実施形態を示す全体斜視図である。
【図２】圧力センサに係合されるパッドの具体例を示す底面図および断面側面図である。
【図３】第１の実施形態の筋力測定装置のセンサ部の詳細な構成を示す正面図および側面図である。
【図４】図１の実施形態の筋力測定装置を使用して被検者の足の筋力を測定する場合の使用状態を示す側面図である。
【図５】本発明を適用して有効な筋力測定装置の他の実施形態を示す全体斜視図である。
【図６】表示装置に内蔵される演算回路の構成例を示すブロック図である。
【図７】演算回路のメモリに格納されるデータの例を示す図表である。
【図８】図７の表のデータの一部を、横軸に筋力／体重比をとり、縦軸に動作可能割合をとって表わしたグラフである。
【符号の説明】
【００４５】
１０  センサ部  １２  圧力センサ  １２ａ〜１２ｄ  圧力検出素子  １３  ベースプレート  １４ａ，１４ｂ  ベルト挿通孔  ２０  ベルト  ２１  着脱装置  ２２  長さ調整手段  ３０  表示装置  ３１  表示器  ３２  ベルト  ３３  スイッチボタン  ３５  ケーブル 
【図１】
2007267767.tif 000003
【図２】
2007267767.tif 000004
【図３】
2007267767.tif 000005
【図４】
2007267767.tif 000006
【図５】
2007267767.tif 000007
【図６】
2007267767.tif 000008
【図７】
2007267767.tif 000009
【図８】
2007267767.tif 000010